(57)【要約】【課題】光源部としてビーム角が小さなＬＥＤを使用した場合においても、所望の照射面積を照度ムラなく照射でき、器具本体内の温度上昇を抑制できる照明器具を提供することである。【解決手段】器具本体１３は、光源部１４ａ、１４ｂからの光を出射する開口部１８を有し、光源部１４ａ、１４ｂ及び固定板１７を包囲して収納する。前面枠２０は器具本体１３の前面部に取り付けられ、器具本体１３の開口部１８から出射される光源部１４ａ、１４ｂの光を外部に導く光導出部２１を有する。そして、前面枠２０の光導出部２１の光導出面には光源部１４ａ、１４ｂからの光を散乱させる光散乱部２２が設けられている。これにより、ビーム角が狭い光源であっても所望の照射面を照度ムラなく照明でき、器具本体内部の温度上昇を抑制でき、さらに熱膨張による光源部の光軸のずれも防止できる。【選択図】  図１
2008140644.tif 000002
【特許請求の範囲】
【請求項１】
光源部からの光を出射する開口部を有し、前記光源部及び固定板を包囲して収納する器具本体と；
前記光源部に対向する部分に設けられた膨出部及び前記器具本体の開口部から出射される光源部の光を外部に導く光導出部を有してなり、前記器具本体の前面部に取り付けられた前面枠と；
前記前面枠の光導出部の光導出面に設けられ前記光源部からの光を散乱させる光散乱部と；
を備えたことを特徴とする照明器具。
【請求項２】
前記前面枠はアルミダイカストで形成され、前記光源部は熱伝導性の固定板で前記器具本体に取り付けられたことを特徴とする請求項１記載の照明器具。
【発明の詳細な説明】
【技術分野】
【０００１】
本発明は、器具本体に収納された光源部からの光を器具本体の開口部から出射して照明する照明器具に関する。
【背景技術】
【０００２】
光源部を器具本体に収納し、光源部からの光を器具本体の開口部から出射するようにした照明器具としては、例えば、壁に取り付けられて廊下面を照射する足元灯があり、光源部として複数個のＬＥＤを用いたものがある（例えば、特許文献１参照）。この照明器具では、ＬＥＤとしてその配光指向角が縦方向より横方向が大きく設定されたいわゆる楕円配光特性のものを実装し、廊下面の長手方向へ効果的に照射でき、複数のＬＥＤを互いに同一方向に実装できるようにしている。この場合、器具本体でＬＥＤ（光源部）を包囲し光源部が見えないようにし、光源部から所望の照射面方向のみ光を出射するようにしている。
【特許文献１】特開２０００−３０６４０３号公報（図１）
【発明の開示】
【発明が解決しようとする課題】
【０００３】
しかし、特許文献１のものでは、ビーム角が小さい砲弾型ＬＥＤなどを使用した場合には、足下を照射するための面積が非常に小さくなり、グレア及び照度ムラを引き起こすことがある。また、器具本体で光源部（ＬＥＤ）を包囲しているので、光源部の発熱により器具本体内部の温度が上昇し、光源部が短寿命となってしまう。
【０００４】
本発明の目的は、光源部としてビーム角が小さなＬＥＤを使用した場合においても、グレアを抑制するとともに所望の照射面積を照度ムラなく照射できる照明器具を提供することである。
【課題を解決するための手段】
【０００５】
請求項１の発明に係わる照明器具は、光源部からの光を出射する開口部を有し、前記光源部及び固定板を包囲して収納する器具本体と；前記光源部に対向する部分に設けられた膨出部及び前記器具本体の開口部から出射される光源部の光を外部に導く光導出部を有してなり、前記器具本体の前面部に取り付けられた前面枠と；前記前面枠の光導出部の光導出面に設けられ前記光源部からの光を散乱させる光散乱部と；を備えたことを特徴とする。
【０００６】
請求項２の発明に係わる照明器具は、請求項１の発明において、前記前面枠はアルミダイカストで形成され、前記光源部は熱伝導性の固定板で前記器具本体に取り付けられたことを特徴とする。
【発明の効果】
【０００７】
請求項１記載の発明によれば、器具本体の開口部の前面部に前面枠を設け、その前面枠の膨出部に対向した箇所に光源部が位置し、光源部は前面枠から奥まって配置されるので、光源部を直接見る範囲が狭くなりグレアを抑制できる。また、その前面枠の光導出部の光導出面に光を散乱させる光散乱部を設けるので、砲弾型ＬＥＤのようなビーム角が狭いものでも、所望の照射面を照度ムラなく照明できる。
【０００８】
請求項２記載の発明によれば、さらに、前面枠をアルミダイカストで形成し、光源部からの熱を熱伝導性の固定板及び器具本体を通して前面枠に伝熱させて前面枠より放熱するので、器具本体内部の温度上昇を抑制できるだけでなく、熱膨張による光源部の光軸のずれも防止できる。
【発明を実施するための最良の形態】
【０００９】
図１は本発明の実施の形態に係わる照明器具の構成図であり、図１（ａ）は正面図、図１（ｂ）は側面断面図、図１（ｃ）は上面図である。照明器具１１は建築物の壁１２に取り付けられ、建築物の壁１２の下方の足下面を照明するものである。照明器具１１の器具本体１３は例えば熱伝導性のステンレス合金で形成され、器具本体１３内には光源部１４ａ、１４ｂが収納される。そして器具本体１３は、壁１２に設けられた電線管ボックス１５に取り付けられる。電線管ボックス１５には電源線の端子が設置され、この電源線の端子から光源部１４ａ、１４ｂに点灯用電力が供給される。
【００１０】
光源部１４ａ、１４ｂは、複数個のＬＥＤが実装されたＬＥＤモジュールで形成されている。図２は、ＬＥＤモジュールで形成された光源部１４ａ、１４ｂの正面図である。図２では１０個のＬＥＤ１６が横方向に並んで実装されたものを示している。このような２個のＬＥＤモジュールのＬＥＤ１６が斜め方向の足下面を照明するように、器具本体１３内に並列に２個のＬＥＤモジュールを配置して光源部１４ａ、１４ｂを構成している。２個の光源部１４ａ、１４ｂは熱伝導性の固定板１７で保持され、固定板１７は器具本体１３で支持されている。固定板１７は、例えば、ステンレス合金で形成される。そして、光源部１４ａ、１４ｂからの光は器具本体１３の開口部１８に設けられた下面カバー１９を通して足下面に向けて照射される。このように、器具本体１３は光源部１４ａ、１４ｂからの光を出射する開口部１８を有し、光源部１４ａ、１４ｂ及び固定板１７を包囲して収納している。
【００１１】
この器具本体１３の前面部には前面枠２０が設けられている。前面枠２０は、
光源部１４ａ、１４ｂに対向する部分に膨出部を有し、その膨出部には器具本体１３の開口部１８から出射される光源部１４ａ、１４ｂの光を外部に導く光導出部２１を有している。すなわち、前面枠２０の膨出部に対向した箇所に光源部１４ａ、１４ｂが位置し、光源部１４ａ、１４ｂは前面枠２０から奥まって配置されるので、光源部１４ａ、１４ｂを直接見る範囲が狭くなりグレアを抑制できるように構成されている。また、器具本体１３の開口部１８の下面カバー１９から出射される光源部１４ａ、１４ｂの光を外部に導く光導出部２１を有し、この光導出部２１の光導出面には、光源部１４ａ、１４ｂからの光を散乱させる光散乱部２２が設けられている。
【００１２】
光散乱部２２は、幾何学模様の立体構造の凹凸面で形成され、光源部１４ａ、１４ｂからの下面カバー１９を通った光は、この光散乱部２２で反射されて外部の足下面に照射される。従って、ビーム角が小さい砲弾型ＬＥＤなどを光源部１４ａ、１４ｂに使用した場合であっても、照度ムラを防止できる。
【００１３】
すなわち、通行人からは照明器具１１からの光は、図１（ａ）に示すように、前面枠２０の正面側から見えることになるが、光源部１４ａ、１４ｂからの光は前面枠２０の膨出部の光導出部２１を通って下方の足下面を照射することになるので、光源部１４ａ、１４ｂからの光が直接的に通行人の視野に入ることはない。そして、光源部１４ａ、１４ｂからの光は前面枠２０の光導出部２１を通過する際に光導出面の光散乱部２２で反射されるのでグレアや照度ムラを防止できる。
【００１４】
次に、前面枠２０はアルミダイカストで形成される。アルミダイカストは溶解したアルミを金型に高圧で流し込んで作られるので成形は比較的容易であり、光導出部２１及び光散乱部２２の成形も比較的容易に成形できる。また、アルミダイカストは熱伝導率もよい。そこで、本発明の実施の形態では、アルミダイカストで形成された前面枠２０を器具本体１３の前面部に取り付けて、光源部１４ａ、１４ｂで発生する熱を前面枠２０に伝熱させ、前面枠２０の表面から放熱するようにする。
【００１５】
これにより、光源部１４ａ、１４ｂのＬＥＤが発熱し、光源部１４ａ、１４ｂを形成するＬＥＤモジュールや固定板１７が熱膨張して、その熱膨張によりＬＥＤの光軸がずれることを防止できる。すなわち、熱膨張による光源部１４ａ、１４ｂのＬＥＤの光軸のずれを防止できるので、通行人の視野に直接的に光源部１４ａ、１４ｂからのグレアが入ることを防止できる。
【００１６】
本発明の実施の形態によれば、器具本体１３の前面に前面枠２０を設けて、前面枠の膨出部の光導出部２１を経由して光源部１４ａ、１４ｂからの光が直接的に外部から見えないように照射するので、人間の視野にグレアが入ることはない。また、前面枠２０の光導出部２１の光導出面に光散乱部２２を設けるので、照度ムラも防止できる。
【００１７】
さらに、光源部１４ａ、１４ｂの発熱を前面枠２０に伝熱して放熱するので、光源部１４ａ、１４ｂの長寿命化だけでなく、光源部１４ａ、１４ｂや固定板１７の熱膨張による光源部１４ａ、１４ｂの光軸のずれを防止できるので、熱膨張による照度ムラも防止できる。
【図面の簡単な説明】
【００１８】
【図１】本発明の実施の形態に係わる照明器具の構成図。
【図２】本発明の実施の形態におけるＬＥＤモジュールで形成された光源部の正面図。
【符号の説明】
【００１９】
１１…器具本体、１２…壁、１３…器具本体、１４…光源部、１５…電線管ボックス、１６…ＬＥＤ、１７…固定板、１８…開口部、１９…下面カバー、２０…前面枠、２１…光導出部、２２…光散乱部
【図１】
2008140644.tif 000003
【図２】
2008140644.tif 000004